(57)【要約】  各固体光源の発光特性、更には、その姿勢（設置状態）の違いにかかわらず、最適な発光特性を示す投写型映像表示装置を提供する。  反射ミラー（３１）に対して拡大投写される映像光を照射するための光源部（７１）と、前記光源部（７１）からの光と外部からの電気信号に基づいて前記拡大投写される映像光を生成する映像処理部と、前記映像処理部からの映像光を拡大投射する投写光学系（１０２）を備えた投写型映像表示装置であって、前記光源部（７１）を、少なくとも、固体発光装置からなる赤色（Ｒ）固体光源（７５Ｒ）、緑色（Ｇ）固体光源（７５Ｇ）、青色（Ｂ）固体光源（７５Ｂ）により構成すると共に、当該各固体光源（７５Ｒ、Ｇ、Ｂ）には、それぞれの冷却手段（７３Ｒ、Ｇ、Ｂ）が設けられており、前記各固体光源（７５Ｒ、Ｇ、Ｂ）は、その発光特性や当該冷却手段（７３Ｒ、Ｇ、Ｂ）の状態に基づいて、入力される駆動電力が制御される。
2015170405.tif 000002
【特許請求の範囲】
【請求項１】
反射ミラーに対して拡大投写される映像光を照射するための光源部と、前記光源部からの光と外部からの電気信号に基づいて前記拡大投写される映像光を生成する映像処理部と、前記映像処理部からの映像光を拡大投射する投写光学系を備えた投写型映像表示装置であって、  前記光源部を、少なくとも、固体発光装置からなる赤色（Ｒ）固体光源、緑色（Ｇ）固体光源、青色（Ｂ）固体光源により構成すると共に、当該各固体光源には、それぞれの冷却手段が設けられており、  前記各固体光源は、その発光特性や当該冷却手段の状態に基づいて、入力される駆動電力が制御されることを特徴とする投写型映像表示装置。
【請求項２】
請求項１に記載した投写型映像表示装置において、前記赤色（Ｒ）固体光源に設けられた冷却手段の冷却特性が、他の固体光源に設けられた冷却手段の冷却特性よりも大きく設定したことを特徴とする投写型映像表示装置。
【請求項３】
請求項２に記載した投写型映像表示装置において、前記冷却手段はヒートパイプであり、前記赤色（Ｒ）固体光源に設けられたヒートパイプの径が、他の固体光源に設けられたヒートパイプの径よりも大きく設定したことを特徴とする投写型映像表示装置。
【請求項４】
請求項３に記載した投写型映像表示装置において、前記冷却手段は、更に、前記ヒートパイプの端部に取り付けられたヒートシンクを備えており、前記赤色（Ｒ）固体光源に設けられたヒートパイプの端部のヒートシンクは専用であり、他の固体光源に設けられたヒートパイプの端部のヒートシンクは共用であることを特徴とする投写型映像表示装置。
【請求項５】
請求項１に記載した投写型映像表示装置において、前記赤色（Ｒ）固体光源の発光特性を、前記緑色（Ｇ）固体光源及び前記青色（Ｂ）固体光源の発光特性に一致するよう、前記赤色（Ｒ）固体光源への駆動電力を調整することを特徴とする投写型映像表示装置。
【請求項６】
請求項１に記載した投写型映像表示装置において、前記赤色（Ｒ）固体光源に入力される駆動電力が所定の値に達した場合、当該駆動電力を所定の期間だけ低下させた後、再び、上昇されることを繰り返す制御を行うことを特徴とする投写型映像表示装置。
【請求項７】
請求項１に記載した投写型映像表示装置において、更に、当該装置の設置状態を検知する姿勢センサが一部に取り付けられており、検出された当該装置の設置状態に基づいて前記赤色（Ｒ）固体光源、前記緑色（Ｇ）固体光源、前記青色（Ｂ）固体光源へ入力される駆動電力を制御することを特徴とする投写型映像表示装置。
【請求項８】
反射ミラーに対して拡大投写される映像光を照射するための光源部と、前記光源部からの光と外部からの電気信号に基づいて前記拡大投写される映像光を生成する映像処理部と、前記映像処理部からの映像光を拡大投射する投写光学系を備えた投写型映像表示装置であって、  前記光源部は、固体発光装置からなる少なくとも赤色（Ｒ）固体光源、緑色（Ｇ）固体光源、青色（Ｂ）固体光源により構成すると共に、当該各固体光源には、それぞれの冷却手段が設けられており、  前記各固体光源に入力される駆動電力が投写型映像表示装置の姿勢に応じて制御されることを特徴とする投写型映像表示装置。
【請求項９】
請求項８に記載した投写型映像表示装置に姿勢センサを設け、投写型映像表示装置の設置状態に応じた検出出力に基づいて、赤色（Ｒ）固体光源、緑色（Ｇ）固体光源、青色（Ｂ）固体光源の入力電力を制御することを特徴とした投写型映像表示装置。
【請求項１０】
請求項８に記載した投写型映像表示装置において、前記冷却手段はヒートパイプであり、前記赤色（Ｒ）固体光源に設けられたヒートパイプの径が、他の固体光源に設けられたヒートパイプの径よりも大きく設定したことを特徴とする投写型映像表示装置。
【請求項１１】
請求項１０に記載した投写型映像表示装置において、前記冷却手段は、更に、前記ヒートパイプの端部に取り付けられたヒートシンクを備えており、前記赤色（Ｒ）固体光源に設けられたヒートパイプの端部のヒートシンクは専用であり、他の固体光源に設けられたヒートパイプの端部のヒートシンクは共用であることを特徴とする投写型映像表示装置。
【請求項１２】
請求項８に記載した投写型映像表示装置において、前記赤色（Ｒ）固体光源の発光特性を、前記緑色（Ｇ）固体光源及び前記青色（Ｂ）固体光源の発光特性に一致するよう、前記赤色（Ｒ）固体光源への駆動電力を調整することを特徴とする投写型映像表示装置。
【発明の詳細な説明】
【技術分野】
【０００１】  本発明は、投写型映像表示装置に関する。
【背景技術】
【０００２】  投写型映像表示装置は、大型のプロジェクションテレビに適用されると共に、例えば、以下の特許文献１にも既に知られるように、外部からの映像信号を入力してその映像を拡大してパネルや壁面等に投写するための手段としても広く利用されている。更に、近年においては、ＰＣ（パーソナルコンピュータ）からの映像信号の表示に留まらず、ｉＰｈｏｎｅやｉＰａｄ ｍｉｎｉ等の携帯端末により得られた映像などを、壁面や机の表面などに簡易に投写することを可能にするための手段としても期待されている。なお、そのための反射ミラー（自由曲面ミラー）や自由曲面レンズを含む投写レンズ系の詳細は、以下の特許文献２により既に知られている。
【先行技術文献】
【特許文献】
【０００３】
【特許文献１】特開２０１３−８０４４号公報
【特許文献２】特開２０１２−２１５９０９号公報
【発明の概要】
【発明が解決しようとする課題】
【０００４】  しかしながら、上述した投写型映像表示装置では、特に、携帯端末やＰＣに接続して映像を投写するプロジェクタでは、使用される状況に応じて、その姿勢（設置状態）も変化する。【０００５】  一方、投写型映像表示装置では、従来の高圧水銀ランプなどに替えて、光変換効率や寿命、更には、その取り扱い性にも優れたＬＥＤやレーザ素子などの半導体発光素子を利用した固体光源が広く採用されてきている。【０００６】  後にも詳細に説明するが、投写型映像表示装置では、その性能を十分に発揮する上で、上述した固体光源から発生する熱を効率的に外部に逃がすことが、特に、重要であり、例えば、ヒートパイプなどを利用した効率的な冷却が行われている。【０００７】  そこで、本発明は、上述した従来技術における問題点に鑑みて達成されたものであり、特に、携帯端末やＰＣに接続して映像を投写するプロジェクタのように、その姿勢（設置状態）を状況に応じて種々変化して使用される投写型映像表示装置、特に、その固体光源の冷却構を提供することをその目的とする。
【課題を解決するための手段】
【０００８】  上記の目的を達成するために、本発明によれば、反射ミラーに対して拡大投写される映像光を照射するための光源部と、前記光源部からの光と外部からの電気信号に基づいて前記拡大投写される映像光を生成する映像処理部と、前記映像処理部からの映像光を拡大投射する投写光学系を備えた投写型映像表示装置であって、前記光源部を、少なくとも、固体発光装置からなる赤色（Ｒ）固体光源、緑色（Ｇ）固体光源、青色（Ｂ）固体光源により構成すると共に、当該各固体光源には、それぞれの冷却手段が設けられており、前記各固体光源は、その発光特性や当該冷却手段の状態に基づいて、入力される駆動電力が制御される投写型映像表示装置が提供される。
【発明の効果】
【０００９】  上述した本発明によれば、各固体光源の発光特性の違いにもかかわらず、更には、その姿勢（設置状態）を状況に応じて、最適な発光特性を示す、実用的にも優れた投写型映像表示装置を提供することが可能となる。
【図面の簡単な説明】
【００１０】
【図１】投写型映像表示装置の外観正面を示す図。
【図２】投写型映像表示装置の外観右側面を示す図。
【図３】投写型映像表示装置の外観左側面を示す図。
【図４】投写型映像表示装置の筺体内部の詳細構造を示すための、上側ケースを外した状態の上面図。
【図５】投写型映像表示装置の筺体内部の詳細構造を示すための、上側ケースを外した状態の上面図。
【図６】投写型映像表示装置の筺体内部の冷却構造を示すための図５のＡ−Ａ’断面図。
【図７】投写型映像表示装置の筺体内部の冷却構造を示すための図５のＢ−Ｂ’断面図。
【図８】投写型映像表示装置におけるＬＥＤ照明ユニットの冷却構造を説明するための一部拡大図。
【図９】投写型映像表示装置の３種類の固体光源について、入力電流と発生する光束量との関係を示す図である。
【図１０】青色（Ｂ）固体光源におけるジャンクション温度と照度（絶対値）を示す図である。
【図１１】赤色（Ｒ）固体光源におけるジャンクション温度と照度（絶対値）を示す図である。
【図１２】緑色（Ｇ）固体光源におけるジャンクション温度と照度（絶対値）を示す図である。
【図１３】赤色（Ｒ）、緑色（Ｇ）、そして、青色（Ｂ）固体光源の入力電力を制御するための回路構成の一例を示すブロック図である。
【図１４】上記赤色（Ｒ）、緑色（Ｇ）、そして、青色（Ｂ）固体光源のヒートパイプの構成を説明するための図である。
【図１５】ジャンクション温度の変化に対する発光効率の変化率が最も大きな赤色（Ｒ）固体光源に入力する駆動電流の制御の一例を示す波形図である。
【図１６】投写型映像表示装置の設置状態を検知する姿勢センサを設けた場合の固体光源への駆動電流の制御の一例を示すブロック図である。
【図１７】上記図１６のブロック図におけるメモリ内のテーブルの一例を示す図である。
【発明を実施するための形態】
【００１１】  以下、本発明の実施の形態になる投写型映像表示装置について、図面を参照しながら、詳細に説明する。
【００１２】  まず、図１には、投写型映像表示装置の外観を示す正面図であり、図の符号１は、当該装置の下側ケースを、２は、その上側ケースを、３は、上側ケースの上面に形成された開閉可能なミラーカバーを、４は、下側ケースの側面に形成された、当該装置の内部で発生する熱を外部に排出するための排気口を示している（厳密には、装置内には、シロッコファンと軸流ファンとが設けられており、シロッコファンからの空気の排気口には、符号の後に「Ｃ」を、軸流ファンからの空気の排気口には、符号の後に「Ａ」を付加して表示している）。また、下側ケース１と上側ケース２により装置の略平箱状の外形形状を有する筺体を形成している。これは、当該装置の使用状態として、机やテーブルの表面に立てた状態で使用する場合（机やテーブルの表面に映像が投写される場合）をも考慮して、その背面側を底面として直立することが可能となっている。なお、筺体に着脱が可能、又は、筺体に内蔵されて取出しが可能なスタンド等の手段を設けてもよい。
【００１３】  図２は、投写型映像表示装置の側面図であり、上側ケースの上面に開閉可能に取り付けられたミラーカバー３の内側には、凸形状で回転非対称に形成された反射ミラー（自由曲面ミラー）３１が取り付けられると共に、上側ケースの正面略中央部（図1を参照）に形成された凸状部の内部には、以下に述べるレンズ光学系１０２が配置され、投写光を外部に導くための開口部が形成されている（なお、図では、レンズ光学系１０２の一部だけが当該開口部を介して示されている）。また、図中の符号５は、レンズ調整機構によりレンズ位置を変えて投写映像のフォーカス状態を調整するための、所謂、フォーカス調整用リングの一部（上側ケースから外部に飛び出した上端部）を示している。更に、図の符号６は、光源や制御装置等に必要な電力（商用電力）を供給するための、所謂、電源インレットを示しており、下側ケース１の側面に設けられている（電源ユニットが設けられる側）。
【００１４】  図３は、投写型映像表示装置の図２とは反対側の側面図を示しており、下側ケース１の側面（ＬＥＤ照明ユニットが設けられる側）には、排気口４と共に、外部の装置（例えば、携帯端末やＰＣなど）からの映像信号を入力するための各種の端子を備えた端子板７を備えている。また、この図の略中央部に示される排気口４は、装置の内部に搭載される電気回路、特に、画像処理装置やＬＥＤの駆動基板、更には、これらを含めて装置全体の動作を制御するための制御部（例えば、ＣＰＵにより構成される）を冷却するためのシロッコファンからの空気を排出するための排気口である。
【００１５】＜内部構造＞  続いて、投写型映像表示装置の内部構造について、図４〜図８を参照しながら、以下に詳細に説明する。
【００１６】  図４及び５は、共に、投写型映像表示装置の内部構造を示すため、上側ケース２を外した状態の上面図である。これらの図において、反射ミラー３１や投写レンズ系１０２を含む光学系は、下側ケース１、即ち、装置の外形の上面図の中央を通り、投写光の中心部が進行する中心軸（図の面に垂直な中心軸）に沿って、装置の中央部に配置されている。また、この投写レンズ系１０２を中心にして、その一方の側（図の左側）には、電源ユニット６１が配置されており、当該電源ユニット６１の一端側には、複数台（本例では２台）の軸流ファン４２が隣接して配置されている。そして、この投写レンズ系１０２を中心にして、その他方の側（図の右側）には、シロッコファン４１が配置されている。
【００１７】  シロッコファン４１の筺体部の一部は放熱用フィンと略一体化されており、ＬＥＤ照明ユニット７１の緑色（Ｇ）光発光用のＬＥＤ７５Ｇで発生した熱は、ヒートパイプ７３Ｇを介して、赤色（Ｒ）光発光用のＬＥＤ７５Ｒは、ヒートパイプ７３Ｒを介して、青色（Ｂ）光発光用のＬＥＤ７５Ｂは、ヒートパイプ７３Ｂを介して、上記放熱フィンまで熱を伝播し、シロッコファン４１により発生した冷却風により冷却され、それぞれの排気口４Ｃから放熱される。
【００１８】  上述した光源を構成するためのＬＥＤ照明ユニット７１などは、シロッコファン４１により発生される空気流に沿って、配置されている。換言すれば、これらの構成要素は、投写レンズ系１０２を中心にして、左右対称に配置されている。なお、図中の符号７２は、ＤＬＰ装置冷却用のヒートシンクを示し、符号４Ｓは、下側ケース１の底面及び側面に形成された吸気口を示している。
【００１９】  更に、これらの図には、３本のヒートパイプ７３が示されており、これらのヒートパイプ７３は、それぞれ、ＬＥＤ照明ユニット７１の熱を排気口の近傍まで伝達し、もって、効率的な放熱を可能としている。より具体的には、ＬＥＤ照明ユニット７１の緑色（Ｇ）光発光用のＬＥＤ７５Ｇは、ヒートパイプ７３Ｇを介して排気口４Ｃの近傍まで、赤色（Ｒ）光発光用のＬＥＤ７５Ｒは、ヒートパイプ７３Ｒを介して排気口４Ｃの近傍まで伝達され、そして、青色（Ｂ）光発光用のＬＥＤ７５Ｂは、ヒートパイプ７３Ｂを介して、それぞれ、排気口４Ｃの近傍まで伝達され、シロッコファン４１により発生した冷却風により放熱フィンを介して放熱され排気口４Cから筺体外に排出される。
【００２０】  なお、これらの冷却構造についての詳細を、図６〜図８を参照しながら説明する。図６は、図５に示した投写型映像表示装置におけるミラーカバー３を閉じた状態のＡ−Ａ’線に沿った断面図であり、図７は、図５に示した投写型映像表示装置におけるミラーカバー３を開いた状態のＢ−Ｂ’線に沿った断面図である。
【００２１】  まず、図６には、ＬＥＤ照明ユニット７１の冷却構造が示されており、その内部に取り付けられたシロッコファン４１は、下側ケース１の底面に形成された図示しない吸気口を介して、外部から空気を吸い込み、装置の正面（この図では、右側の側面）に形成されたシロッコファンからの空気の排気口４Ｃから排出する。
【００２２】  その際、図４及び５、更には、図８にも示すように、ＬＥＤ照明ユニット７１における主な発熱源である３個のＬＥＤ（半導体レーザ）７５Ｒ、７５Ｇ、７５Ｂからの熱は、それぞれのヒートパイプ７３Ｒ、７３Ｇ、７３Ｂにより、下側ケース１の正面、及び、側面に形成された排気口４Ｃ（図７を参照）の近傍まで伝達される。具体的には、その一端が、ＬＥＤの表面に熱伝的に取り付けられ、その他端が、排気口の近傍に配置されている。そこで、外部から吸い込まれた空気に熱を伝達（熱交換）することにより、３個のＬＥＤ７５Ｒ、７５Ｇ、７５Ｂを効率的に冷却する。
【００２３】  即ち、上述した冷却構造は、特に、ＬＥＤ照明ユニット７１のように、発熱がその一部において（即ち、３個のＬＥＤ７５Ｒ、７５Ｇ、７５Ｂ）、局部的に発生する部品の冷却用に好適である。なお、より詳細には、３個のＬＥＤ７５Ｒ、７５Ｇ、７５Ｂから発熱量は、それぞれ、異なることから、そこに用いられるヒートパイプ７３Ｒ、７３Ｇ、７３Ｂは、排気口４Ｃに近接した配置される場所の数（熱交換量）において、それぞれ、異なるように配置されている。また、配置されるヒートパイプ７３の本数も、ＬＥＤの発熱量の大小に応じて、適宜、設定することにより、更に効率的な放熱効果を達成することが出来る。なお、図８における参照符号２００は、後に詳述する姿勢センサを示している。
【００２４】  続いて、本発明者等は、投写型映像表示装置の固体発光装置である３種類の固体光源、即ち、上記のＬＥＤ７５Ｒ、７５Ｇ、７５Ｂについて、入力電流と発生する光束量について検討した。その結果を、図９のグラフにより示す。
【００２５】  即ち、図９のグラフからも明らかなように、赤色（Ｒ）固体光源は、広い範囲（例えば、０〜５Ａ）の入力電力に対し、その光出力は、良好なリニアリティを示す。他方、緑色（Ｇ）固体光源と青色（Ｂ）固体光源は、入力電力が３Ａを超える付近から、光源の温度上昇により、その発光効率を低下させる。
【００２６】  このため、入力電力が３Ａを超える場合には、発生する赤色（Ｒ）と緑色（Ｇ）と青色（Ｂ）のバランスが崩れてしまい、良好な色特性が得られないことが危惧されることとなる。
【００２７】  また、３種類の固体光源、即ち、上記のＬＥＤ７５Ｒ、７５Ｇ、７５Ｂは、それぞれ、そのジャンクション温度とその照度（絶対値）において、異なる特性を示す。各固体光源について検討した結果を、図１０〜１２のグラフにより示す。
【００２８】  図１０は、青色（Ｂ）固体光源におけるジャンクション温度と照度（絶対値）を、図１１は、赤色（Ｒ）固体光源におけるジャンクション温度と照度（絶対値）を、そして、図１２は、緑色（Ｇ）固体光源におけるジャンクション温度と照度（絶対値）を示している。これらの結果から、ジャンクション温度の変化に対する発光効率の変化率は、赤色（Ｒ）固体光源が最も大きく（略２０％）、次に、緑色（Ｇ）固体光源の変化率（略２．５％）が、そして、青色（Ｂ）固体光源の変化率（略０％）であることが分かる。このことから、赤色（Ｒ）固体光源の冷却効率を他の固体光源の冷却効率よりも大きくすることが、良好な色特性や寿命を長く維持するためにも好ましいことが分かる。
【００２９】  加えて、本発明者等による種々の実験によれば、各ＬＥＤ（半導体レーザ）７５Ｒ、７５Ｇ、７５Ｂの発熱を外部に導くためのヒートパイプ７３Ｒ、７３Ｇ、７３Ｂについても、重力の影響により性能が変化する。即ち、投写型映像表示装置の設置状態、例えば、横にして（水平）設置した場合、縦にして（垂直）設置した場合、傾けて（傾斜）設置した場合、上下を逆転して設置した場合（例えば、天井に取り付ける、又は、天井からぶら下げる等）とで、それぞれ、その性能が変化することが分かった。
【００３０】  本発明は、上述した本発明者等による種々の知見に基づくものであり、これらについて、以下に詳細に説明する。
【００３１】＜リニアリティの一致制御＞  上述したように、入力電力に対する光出力は、赤色（Ｒ）固体光源の特性と、緑色（Ｇ）固体光源と青色（Ｂ）固体光源の特性とでは、互いに異なるものとなっている。
【００３２】  そこで、予め、赤色（Ｒ）固体光源の特性と、緑色（Ｇ）固体光源と青色（Ｂ）固体光源の特性とを測定して、例えば、テーブル（変換表）等を作成しておき、これに従って、赤色（Ｒ）固体光源、緑色（Ｇ）固体光源、そして、青色（Ｂ）固体光源の入力電力を制御する。なお、実際には、上述したように、緑色（Ｇ）固体光源と青色（Ｂ）固体光源の特性は互いにほぼ一致しているが、赤色（Ｒ）固体光源のそれとは大きく異なっていることから、例えば、図１３に示すように、赤色（Ｒ）固体光源の特性を緑色（Ｇ）固体光源と青色（Ｂ）固体光源の特性に一致するように、駆動電源回路７６から出力される電力を、テーブル等による変換回路７７を介して、補正（調整）することが好ましい。
【００３３】＜ジャンクション温度の変化に対する発光効率の変化率＞  この特性は、上述したように、赤色（Ｒ）固体光源において最も著しい。そこのため、上記３種類の固体光源の中でも、特に、赤色（Ｒ）固体光源のジャンクション温度を効率的に冷却することが必要となる。
【００３４】  そこで、ここでは、一例として、図１４にも示すように、上述したヒートパイプ７３Ｒ、７３Ｇ、７３Ｂのうち、赤色（Ｒ）固体光源用のヒートパイプ７３Ｒの冷却能力（パイプの径）を最も大きなものに設定した。そして、当該ヒートパイプ７３Ｒの端部には、専用の側面のヒートシンク４ＣＳを取り付け、他方、緑色（Ｇ）固体光源７５Ｇと青色（Ｂ）固体光源７５Ｂのヒートパイプ７３Ｇ、７３Ｂの端部は、共用の正面のヒートシンク４ＣＦを取り付け、更には、専用の側面のヒートシンク４ＣＳの放熱面積をより大きくして冷却能力を向上することなどが考えられる。
【００３５】  または、他の一例として、図１５にも示すように、赤色（Ｒ）固体光源に入力する駆動電流に対し、予め、制限値（例えば、３Ａ）を設けておき、これを超えた場合には、当該駆動電流を徐々に低下させ、その後、所定の期間Ｔ＝１０分程度が経過してから、再び、上昇するように制御することが考えられる。なお、これによれば、ジャンクション温度の変化に対する発光効率の変化率が最も大きな赤色（Ｒ）固体光源のジャンクション温度を過剰に上昇させることなく所望の値に保持することが可能となることから、固体光源全体の寿命をより長く維持することが可能となる。
【００３６】  更には、投写型映像表示装置の設置状態（即ち、水平設置、垂直設置、傾斜設置、逆転設置）によるヒートパイプ７３Ｒ、７３Ｇ、７３Ｂへの重力の影響による性能の変化を考慮して、当該装置の一部に姿勢センサ２００を取り付け、当該姿勢センサ２００（図８を参照）からの検出出力（例えば、水平設置、垂直設置、水平左傾斜設置、水平右傾斜設置、垂直左傾斜設置、垂直右傾斜設置、上下逆転など）に基づいて、赤色（Ｒ）固体光源、緑色（Ｇ）固体光源、青色（Ｂ）固体光源の入力電力を制御することが望ましい。
【００３７】  この場合、例えば、図１６にも示すように、姿勢センサ２００からの検出出力を、装置の各部を制御するための制御部に設けられた中央演算部（ＣＰＵ）２１０に取り込み、予め求めておいた設置状態とＲＧＢ出力の比率をテーブルとして格納したメモリ２２０と比較し、対応する比率に基づいて、駆動制御回路２３０を介して、赤色（Ｒ）固体光源、緑色（Ｇ）固体光源、青色（Ｂ）固体光源の入力電力を制御すればよい。なお、かかる動作は、例えば、メモリ２２０内に予め格納されたソフトウェアを中央演算部（ＣＰＵ）２１０が実行することにより実現される。
【００３８】  なお、上述したＲＧＢ出力の比率をテーブルの一例を、図１７に示す。即ち、予め、投写型映像表示装置を、種々の設置状態で配置し、その状態でのホワイトバランスに基づいて赤色（Ｒ）固体光源、緑色（Ｇ）固体光源、青色（Ｂ）固体光源への入力電力（比率）をテーブルとしてメモリ２２０内に設定しておく。装置の動作時には、中央演算部（ＣＰＵ）２１０は、姿勢センサ２００からの検出信号を取り込み、対応する設置状態を決定し、対応するＲＧＢ出力の比率により赤色（Ｒ）固体光源、緑色（Ｇ）固体光源、青色（Ｂ）固体光源の入力電力を制御することにより、投写型映像表示装置の設置状態に影響されることのない、優れた発光特性を得ることができる。
【００３９】  なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４０】  また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００４１】  ７５Ｒ、７５Ｇ、７５Ｂ…固体光源（ＬＥＤ）、７３Ｒ、７３Ｇ、７３Ｂ…ヒートパイプ、７７…変換回路、４ＣＳ、４ＣＦ…ヒートシンク、２００…姿勢センサ、２１０…中央演算部（ＣＰＵ）、２２０…メモリ、２３０…駆動制御回路。
【図１】
2015170405.tif 000003
【図２】
2015170405.tif 000004
【図３】
2015170405.tif 000005
【図４】
2015170405.tif 000006
【図５】
2015170405.tif 000007
【図６】
2015170405.tif 000008
【図７】
2015170405.tif 000009
【図８】
2015170405.tif 000010
【図９】
2015170405.tif 000011
【図１０】
2015170405.tif 000012
【図１１】
2015170405.tif 000013
【図１２】
2015170405.tif 000014
【図１３】
2015170405.tif 000015
【図１４】
2015170405.tif 000016
【図１５】
2015170405.tif 000017
【図１６】
2015170405.tif 000018
【図１７】
2015170405.tif 000019
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
反射ミラーに対して拡大投写される映像光を照射するための光源部と、前記光源部からの光と外部からの電気信号に基づいて前記拡大投写される映像光を生成する映像処理部と、前記映像処理部からの映像光を拡大投射する投写光学系を備えた投写型映像表示装置であって、
前記光源部を、少なくとも、固体発光装置からなる赤色（Ｒ）固体光源、緑色（Ｇ）固体光源、青色（Ｂ）固体光源により構成すると共に、該各固体光源には冷却手段が設けられており、
前記各固体光源は、その発光特性に基づいて、入力される駆動電力が制御されることを特徴とする投写型映像表示装置。
【請求項２】
請求項１に記載した投写型映像表示装置において、前記赤色（Ｒ）固体光源に設けられた前記冷却手段の冷却特性が、他の固体光源に設けられた冷却手段の冷却特性よりも大きく設定したことを特徴とする投写型映像表示装置。
【請求項３】
請求項２に記載した投写型映像表示装置において、前記冷却手段はヒートパイプであり、前記赤色（Ｒ）固体光源に設けられたヒートパイプの径が、他の固体光源に設けられたヒートパイプの径よりも大きいことを特徴とする投写型映像表示装置。
【請求項４】
請求項３に記載した投写型映像表示装置において、前記冷却手段は、更に、前記ヒートパイプの端部に取り付けられたヒートシンクを備えており、前記赤色（Ｒ）固体光源に設けられたヒートパイプの端部のヒートシンクは専用であり、他の固体光源に設けられたヒートパイプの端部のヒートシンクは共用であることを特徴とする投写型映像表示装置。
【請求項５】
請求項１に記載した投写型映像表示装置において、前記赤色（Ｒ）固体光源の発光特性を、前記緑色（Ｇ）固体光源及び前記青色（Ｂ）固体光源の発光特性に一致するよう、前記赤色（Ｒ）固体光源への駆動電力を調整することを特徴とする投写型映像表示装置。
【請求項６】
請求項１に記載した投写型映像表示装置において、前記赤色（Ｒ）固体光源に入力される駆動電力が所定の値に達した場合、該駆動電力を所定の期間だけ低下させた後、再び、上昇されることを繰り返す制御を行うことを特徴とする投写型映像表示装置。
【請求項７】
請求項１に記載した投写型映像表示装置において、更に、当該装置の設置状態を検知する姿勢センサが一部に取り付けられており、検出された当該装置の設置状態に基づいて前記赤色（Ｒ）固体光源、前記緑色（Ｇ）固体光源、前記青色（Ｂ）固体光源へ入力される駆動電力を制御することを特徴とする投写型映像表示装置。
【請求項８】
反射ミラーに対して拡大投写される映像光を照射するための光源部と、前記光源部からの光と外部からの電気信号に基づいて前記拡大投写される映像光を生成する映像処理部と、前記映像処理部からの映像光を拡大投射する投写光学系を備えた投写型映像表示装置であって、
前記光源部は、固体発光装置からなる少なくとも赤色（Ｒ）固体光源、緑色（Ｇ）固体光源、青色（Ｂ）固体光源により構成し、
前記各固体光源に入力される駆動電力が投写型映像表示装置の姿勢に応じて制御されることを特徴とする投写型映像表示装置。
【請求項９】
請求項８に記載した投写型映像表示装置に姿勢センサを設け、投写型映像表示装置の設置状態に応じた検出出力に基づいて、赤色（Ｒ）固体光源、緑色（Ｇ）固体光源、青色（Ｂ）固体光源の入力電力を制御することを特徴とした投写型映像表示装置。
【請求項１０】
請求項８に記載した投写型映像表示装置において、前記各固体光源には冷却手段としてヒートパイプを設け、前記赤色（Ｒ）固体光源に設けられたヒートパイプの径が、他の固体光源に設けられたヒートパイプの径よりも大きく設定したことを特徴とする投写型映像表示装置。
【請求項１１】
請求項１０に記載した投写型映像表示装置において、前記冷却手段は、更に、前記ヒートパイプの端部に取り付けられたヒートシンクを備えており、前記赤色（Ｒ）固体光源に設けられたヒートパイプの端部のヒートシンクは専用であり、他の固体光源に設けられたヒートパイプの端部のヒートシンクは共用であることを特徴とする投写型映像表示装置。
【請求項１２】
請求項８に記載した投写型映像表示装置において、前記赤色（Ｒ）固体光源の発光特性を、前記緑色（Ｇ）固体光源及び前記青色（Ｂ）固体光源の発光特性に一致するよう、前記赤色（Ｒ）固体光源への駆動電力を調整することを特徴とする投写型映像表示装置。
【国際調査報告】
2015170405.tif 000020
2015170405.tif 000021
2015170405.tif 000022
2015170405.tif 000023